(57)【要約】【課題】内容物の書き出し位置を適切な位置に印刷・封入封緘された封筒を作成する。【解決手段】情報取得手段１７１ａが、封筒の種類、内容物の折数、および内容物の書字方向の情報を取得し、制御手段１７１ｂが、封筒作成ジョブＤに含まれる内容物の画像データの書き出し文字の位置が、情報取得手段１７１ａにより取得された封筒の種類、内容物の折数、および内容物の書字方向に応じた書き出し位置になるように、印刷装置１と封入封緘装置２とを制御する。【選択図】      図２
2018176631.tif 000002
【特許請求の範囲】
【請求項１】
画像データを含む封筒作成ジョブに基づいて封筒および内容物を印刷する印刷装置と、前記封筒作成ジョブに基づいて前記内容物を折り畳んで前記封筒に封入して封緘する封入封緘装置とを備えた画像形成システムであって、
前記封筒の種類、前記内容物の折数、および前記内容物の書字方向の情報を取得する情報取得手段と、
前記封筒作成ジョブに含まれる前記内容物の画像データの書き出し文字の位置が、前記情報取得手段により取得された前記封筒の種類、前記内容物の折数、および前記内容物の書字方向に応じた書き出し位置になるように、前記印刷装置と前記封入封緘装置とを制御する制御手段と、
を備えたことを特徴とする画像形成システム。
【請求項２】
前記封筒作成ジョブは、ユーザ入力に基づいて設定された前記封筒の種類および前記内容物の折数の情報を含み、
前記情報取得手段は、前記封筒作成ジョブに含まれる前記封筒の種類および前記内容物の折数の情報を取得すると共に、前記封筒作成ジョブに含まれる前記内容物の画像データを解析することにより前記内容物の書字方向の情報を取得する
ことを特徴とする請求項１記載の画像形成システム。
【発明の詳細な説明】
【技術分野】
【０００１】
本発明は、内容物の書き出し位置を適切な位置に印刷・封入封緘された封筒を作成する画像形成システムに関する。
【背景技術】
【０００２】
従来、封筒に宛先情報を印刷すると共に、その封筒に封入される内容物を印刷する画像形成装置に、宛先情報が印刷された封筒に内容物を封入して封緘する封入封緘装置が接続されたシステムがある。
【０００３】
このようなシステムにおいて用いられる内容物は縦書きまたは横書きで記載されたものがあり、また、内容物の折り方についても、二つ折り、三つ折り、四つ折りなど様々な種類がある。また、このシステムにおいて用いられる封筒についても和封筒もあれば洋封筒もある。
【０００４】
ここで、封筒に内容物を封入封緘する場合、日本のマナーに沿った封入の仕方が存在する。例えば、和封筒に縦書きで記載された内容物を三つ折りにして封入封緘する場合、封筒の裏から見たときに三つ折りにされた内容物の最も手前の紙の裏側の右上に書き出し位置が位置するように、封入封緘される必要がある。
【０００５】
特許文献１には、封筒に内容物を封入したときに窓付き封筒の窓部の位置と、内容物情報に含まれる折情報と印刷面情報を内容物印刷条件と照合して印刷後の経路、画像回転の有無、印刷ページの順序などを選択する印刷装置に関する技術が開示されている。
【先行技術文献】
【特許文献】
【０００６】
【特許文献１】特開２０１６−３０３３６号公報
【発明の概要】
【発明が解決しようとする課題】
【０００７】
しかしながら、上記の特許文献１に記載の印刷装置では、封筒に内容物を封入したときに窓付き封筒の窓部の位置と、内容物情報に含まれる折情報と印刷面情報を内容物印刷条件と照合して印刷後の経路、画像回転の有無、印刷ページの順序などを選択するので、日本のマナーに沿った封入封緘を行うことが困難であった。
【０００８】
例えば、適切な条件を選択して、封筒の窓部の位置に、内容物の受取人や差出人の氏名や住所が印刷される位置を一致させたとしても、内容物の書き出し位置が日本のマナーに沿った適切な位置となるとは限らなかった。
【０００９】
このような日本のマナーを考慮することなく作成された封筒を受け取った場合、特にマナーを重んじる日本人にとって違和感を持つことが多かった。
【００１０】
本発明は、このような課題に鑑みてなされたもので、内容物の書き出し位置を適切な位置に印刷・封入封緘された封筒を作成することができる画像形成システムを提供することを目的とする。
【課題を解決するための手段】
【００１１】
上記目的を達成するため、本発明に係る画像形成システムの第１の特徴は、
画像データを含む封筒作成ジョブに基づいて封筒および内容物を印刷する印刷装置と、前記封筒作成ジョブに基づいて前記内容物を折り畳んで前記封筒に封入して封緘する封入封緘装置とを備えた画像形成システムであって、
前記封筒の種類、前記内容物の折数、および前記内容物の書字方向の情報を取得する情報取得手段と、
前記封筒作成ジョブに含まれる前記内容物の画像データの書き出し文字の位置が、前記情報取得手段により取得された前記封筒の種類、前記内容物の折数、および前記内容物の書字方向に応じた書き出し位置になるように、前記印刷装置と前記封入封緘装置とを制御する制御手段と、を備えたことにある。
【００１２】
また、本発明に係る画像形成システムの第２の特徴は、
前記封筒作成ジョブは、ユーザ入力に基づいて設定された前記封筒の種類および前記内容物の折数の情報を含み、
前記情報取得手段は、前記封筒作成ジョブに含まれる前記封筒の種類および前記内容物の折数の情報を取得すると共に、前記封筒作成ジョブに含まれる前記内容物の画像データを解析することにより前記内容物の書字方向の情報を取得することにある。
【発明の効果】
【００１３】
本発明に係る画像形成システムの第１の特徴によれば、制御手段が、封筒作成ジョブに含まれる内容物の画像データの書き出し文字の位置が、情報取得手段により取得された封筒の種類、内容物の折数、および内容物の書字方向に応じた書き出し位置になるように、印刷装置と封入封緘装置とを制御する。
【００１４】
そのため、内容物の書字方向を適切な位置に印刷して封入封緘することができるので、日本のマナーに沿って封入封緘された封筒を作成することができる。これにより、特にマナーを重んじる日本人にとって違和感を持つことがなく、作成された封筒を、例えば慶事や弔事など厳粛な場などでも使用することができる。
【００１５】
また、本発明に係る画像形成システムの第２の特徴によれば、情報取得手段が、封筒作成ジョブに含まれる封筒の種類および内容物の折数の情報を取得すると共に、封筒作成ジョブに含まれる内容物の画像データを解析することにより内容物の書字方向の情報を取得する。
【００１６】
そのため、封筒作成ジョブに書字方向の情報を含ませる必要がないので、ユーザにより書字方向を設定する作業が必要ないので利便性が向上する。
【図面の簡単な説明】
【００１７】
【図１】本発明に係る実施形態の画像形成システムの概略構成を示した図である。
【図２】本発明に係る実施形態の画像形成システムが備える印刷装置の制御部の構成を示すブロック図である。
【図３】本発明に係る実施形態の画像形成システムが備える印刷装置にて受信される封筒作成ジョブＤのデータ構造を示す図である。
【図４】本発明に係る実施形態の画像形成システムが備える印刷装置のハードディスクに記憶された書き出しルールテーブルの一例を示した図である。図４（ａ）は、書字方向が縦書きである場合における内容物の書き出し位置を示した書き出しルールテーブルであり、図４（ｂ）は、書字方向が横書きである場合における内容物の書き出し位置を示した書き出しルールテーブルである。
【図５】本発明に係る実施形態の画像形成システムにより、書き出しルールテーブルに基づいて印刷および封入封緘された状態を模式的に説明した説明図であり、書字方向が「縦書き」、封筒種類が「和封筒」、折数が「三つ折り」である場合において印刷および封入封緘された状態の例を示している。
【図６】本発明に係る実施形態の画像形成システムにより、書き出しルールテーブルに基づいて印刷および封入封緘された状態を模式的に説明した説明図であり、書字方向が「縦書き」、封筒種類が「洋封筒」、折数が「三つ折り」である場合において印刷および封入封緘された状態の例を示している。
【図７】本発明に係る実施形態の画像形成システムが備えるコンピュータの動作を示すフローチャートである。
【図８】本発明に係る実施形態の画像形成システムが備える印刷装置および封入封緘装置の動作を示すフローチャートである。
【発明を実施するための形態】
【００１８】
以下、本発明に係る実施形態の画像形成システムについて、図面を参照して説明する。なお、以下に示す実施形態では、この発明の技術的思想を具体化するために例示したものであって、この発明の技術的思想は、各構成部品の配置等を下記のものに特定されるものではなく、種々の変更を加えることができる。
【００１９】
図１は、本発明に係る実施形態の画像形成システム１００の概略構成を示した図である。図１に示すように、画像形成システム１００は、印刷装置１と、この印刷装置１に接続された封入封緘装置２と、印刷装置１にネットワーク４を介して接続されたコンピュータ５とを備えている。
【００２０】
コンピュータ５は、制御プログラムに基づいて各種の処理を実行するＣＰＵ（図示しない）等を有する一般的なコンピュータの構成を備えている。このＣＰＵには、ワーキングエリアとして機能するＲＡＭや、データを格納するＲＯＭ等が接続されているとともに、各種インターフェイスを介して、キーボードやマウス等から構成される入力部や、液晶ディスプレイ等から構成される出力部などが接続されている。
【００２１】
そして、コンピュータ５のＣＰＵが、ユーザ操作に基づいて封筒作成アプリケーションを実行することにより、印刷装置１と封入封緘装置２とに封筒を作成させるための封筒作成ジョブを生成し、ネットワーク４を介して、生成した封筒作成ジョブを印刷装置１へ送信する。
【００２２】
印刷装置１は、封筒及び内容物の印刷用紙に対し、コンピュータ５により生成された封筒作成ジョブに含まれる画像データに基づいて印刷を行って排出する装置であり、図１に示すように、各部を収納する筐体１０の内部又は側面等に、複数種類の用紙（内容物の印刷用紙や封筒用紙）を収納した複数の給紙トレイ（Ｐ１〜Ｐ３）と、複数の給紙トレイ（Ｐ１〜Ｐ３）から内容物の印刷用紙や封筒用紙を取り出す導入路１１と、導入路１１からの封筒および印刷用紙を搬送するループ状の搬送路１２とを有する。
【００２３】
また、実施形態の印刷装置１は、搬送路１２によって搬送された封筒および内容物の用紙に対し、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなる印刷実行部１３と、印刷済みの封筒や内容物を封入封緘装置２へ排出する第１排出路１４と、印刷済みの用紙を封入封緘装置２へ排出せず、印刷装置１で排出する第２排出路１５と、搬送路１２を搬送されてきた印刷済みの用紙を受け入れた後に逆行させて搬送路１２に戻して用紙の上下を反転させるスイッチバック路１６と、この印刷装置１および封入封緘装置２の全体の各構成の動作を制御する制御部１７とを備える。
【００２４】
封入封緘装置２は、印刷装置１の第１排出路１４から送られた印刷済みの封筒および内容物を受け入れ、印刷済みの封筒用紙に内容物を折り畳んで封入して封緘する装置であり、印刷装置１の第１排出路１４から斜め下方に延設される内容物を搬送する搬送経路２１と、封筒を搬送する搬送経路２２と、搬送経路２２に印刷済みの封筒を順次供給する封筒供給部２４と、搬送経路２１に印刷済みの内容物（封入物）を封筒に対して順次供給する内容物供給部２３とを備える。
【００２５】
また、封入封緘装置２は、各搬送経路２１，２２を搬送された内容物（封入物）を二つ折り、三つ折り、又は四つ折りに折り畳み、搬送されてきた封筒に封入し、内容物（封入物）が封入された封筒を封緘する封入封緘部２５と、封緘された封筒（封書）が排出されて貯められる貯留部２６とを備える。なお、この封入封緘装置２では、図示はしないが、以上の構成部材の他に、封筒用紙を接着する構成部材や、封緘された封書を貯留部２６へ搬送する搬送手段等を備える。
【００２６】
図２は、本発明に係る実施形態の画像形成システム１００が備える印刷装置１の制御部１７の構成を示すブロック図である。
【００２７】
図２に示すように、この印刷装置１の制御部１７は、ＣＰＵ１７１と、ＲＡＭ等のメモリ１７２と、ＣＰＵ１７１が動作するための各種プログラムが記憶されたＲＯＭ等のプログラム記憶部１７３と、後述する書き出しルールテーブルなどを記憶するハードディスク１７４とを有する。
【００２８】
ＣＰＵ１７１は、プログラム記憶部１７３に記憶されたプログラムを実行することによって印刷装置１および封入封緘装置２の全体の動作を制御すると共に、後述するように情報取得手段１７１ａ、制御手段１７１ｂとして機能する。
【００２９】
図３は、本発明に係る実施形態の画像形成システム１００が備える印刷装置１にて受信される封筒作成ジョブＤのデータ構造を示す図である。
【００３０】
図３に示すように、封筒作成ジョブＤは、ヘッダ部３１と、ペイロード部３２とから構成されている。
【００３１】
ヘッダ部３１には、封筒作成ジョブＩＤ３１ａや、封筒情報３１ｂ、内容物情報３１ｃ等が含まれている。
【００３２】
封筒作成ジョブＩＤ３１ａは、この印刷ジョブが単純に用紙を印刷して第２排出路１５へ排出させる通常の印刷ジョブではなく、封筒および内容物を印刷して第１排出路１４を介し封入封緘装置２へ排出して封筒の中に内容物を封入して封緘させる封筒作成ジョブＤであることを示す識別情報である。
【００３３】
封筒情報３１ｂは、封筒作成ジョブＤによって印刷される封筒種類、例えば、和封筒の長形３号や、洋封筒の洋形４号等を示す情報や、その封筒に封入可能な内容物の最大通数、すなわち封入可能な内容物の枚数の上限値等の封筒に関する情報を含んでいる。
【００３４】
内容物情報３１ｃは、封筒作成ジョブＤによって印刷する内容物の用紙サイズ、例えば、Ｂ５サイズやＡ４サイズ等の情報、封筒作成ジョブＤによって印刷する内容物の枚数、二つ折り、三つ折り、又は四つ折りなどの印刷された内容物の折数などの内容物に関する情報を含んでいる。
【００３５】
ペイロード部３２は、封筒作成ジョブＤによって封筒に印刷する封筒の宛先を示す住所や郵便番号等の宛先情報３２ａや、封筒作成ジョブＤによって内容物に印刷するテキスト（文章）や、図柄、写真等の画像データ３２ｂ等の封筒や内容物に印刷されるデータを含んでいる。
【００３６】
図２に戻り、ＣＰＵ１７１は、情報取得手段１７１ａとして機能し、封筒作成ジョブＤを受信すると、受信した封筒作成ジョブＤのヘッダ部３１に記憶されている封筒情報３１ｂから封筒種類を抽出し、内容物情報３１ｃから内容物の折数の情報を取得する。また、ＣＰＵ１７１は、情報取得手段１７１ａとして機能し、封筒作成ジョブＤに含まれる内容物の画像データ３２ｂを解析して、内容物に印刷するテキスト（文章）の方向が縦書きであるかまたは横書きであるかを示す内容物の書字情報を取得する。
【００３７】
制御手段１７１ｂは、封筒作成ジョブＤに含まれる内容物の画像データ３２ｂの書き出し文字の位置が、情報取得手段１７１ａにより取得された封筒の種類、内容物の折数、および内容物の書字方向に応じた書き出し位置になるように、印刷装置１と封入封緘装置２とを制御する。
【００３８】
ここで、封筒に内容物を封入封緘する場合、日本のマナーに沿った封入の仕方が存在する。例えば、和封筒に縦書きで記載された内容物を三つ折りにして封入封緘する場合、封筒の裏から見たときに三つ折りにされた内容物の最も手前の紙の裏側の右上に書き出し位置が位置するように、封入封緘される必要がある。
【００３９】
そこで、封筒の種類、内容物の折数、および内容物の書字方向毎に、日本のマナーに沿って内容物の書き出し位置を定めた書き出しルールテーブルを予めハードディスク１７４に記憶しておき、制御手段１７１ｂが、書き出しルールテーブルに基づいて内容物の書き出し位置を決定する。
【００４０】
図４は、本発明に係る実施形態の画像形成システム１００が備える印刷装置１のハードディスク１７４に記憶された書き出しルールテーブルの一例を示した図である。図４（ａ）は、書字方向が縦書きである場合における内容物の書き出し位置を示した書き出しルールテーブルであり、図４（ｂ）は、書字方向が横書きである場合における内容物の書き出し位置を示した書き出しルールテーブルである。
【００４１】
図４（ａ）では、書字方向が縦書きである場合において、和封筒か洋封筒かを示す封筒種類と、二つ折り、三つ折り、および四つ折りのいずれかを示す折数とに対して、内容物の書き出し位置がどこに位置するかを示している。なお、内容物の書き出し位置がハイフンとなっているものについては、日本のマナーにはないことを示しているので、内容物の書き出し位置がいずれに位置してもよい。
【００４２】
例えば、書字方向が「縦書き」である場合において、封筒種類が「和封筒」であり、折数が「三つ折り」である場合、日本のマナーに沿って、内容物の書き出し位置が、「封筒を裏から見たときに右上」となるように書き出しルールが規定されている。
【００４３】
また、図４（ｂ）では、書字方向が横書きである場合において、和封筒か洋封筒かを示す封筒種類と、二つ折り、三つ折り、および四つ折りのいずれかを示す折数とに対して、内容物の書き出し位置がどこに位置するかを示している。
【００４４】
例えば、書字方向が「横書き」である場合において、封筒種類が「洋封筒」であり、折数が「二つ折り」である場合、日本のマナーに沿って、内容物の書き出し位置が、「封筒を表から見たときに左上」となるように書き出しルールが規定されている。
【００４５】
そこで、制御手段１７１ｂは、この書き出しルールテーブルに基づいて、情報取得手段１７１ａにより取得された封筒の種類、内容物の折数、および内容物の書字方向に対応する内容物の書き出し位置を決定し、決定した書き出し位置となるように、印刷装置１と封入封緘装置２とを制御する。
【００４６】
図５は、本発明に係る実施形態の画像形成システム１００により、書き出しルールテーブルに基づいて印刷および封入封緘された状態を模式的に説明した説明図であり、書字方向が「縦書き」、封筒種類が「和封筒」、折数が「三つ折り」である場合において印刷および封入封緘された状態の例を示している。
【００４７】
図５の場合、書字方向が「縦書き」、封筒種類が「和封筒」、折数が「三つ折り」であるので、図４（ａ）を参照すると、書字方向が「縦書き」、封筒種類が「和封筒」、折数が「三つ折り」に対応する内容物の書き出し位置は、「封筒を裏から見たときに右上」となる。
【００４８】
そこで、制御手段１７１ｂは、図５（ａ）に示すように、封筒作成ジョブＤに基づいて、印刷装置１を制御して内容物に画像を印刷させる。ここでは、「拝啓」の位置が内容物の書き出し位置となる。そして、制御手段１７１ｂは、封入封緘装置２の封入封緘部２５を制御することにより、図５（ａ）に示した破線の位置で、図５（ｂ），（ｃ）に示すように内容物を三つ折りにする。
【００４９】
次に、制御手段１７１ｂは、封入封緘装置２を制御して、図５（ｄ）に示すように、内容物の書き出し位置が、封筒の裏から見たときに三つ折りにされた内容物の最も手前の紙の裏側の右上に位置するように封入封緘させる。
【００５０】
図６は、本発明に係る実施形態の画像形成システム１００により、書き出しルールテーブルに基づいて印刷および封入封緘された状態を模式的に説明した説明図であり、書字方向が「縦書き」、封筒種類が「洋封筒」、折数が「三つ折り」である場合において印刷および封入封緘された状態の例を示している。
【００５１】
図６の場合、書字方向が「縦書き」、封筒種類が「洋封筒」、折数が「三つ折り」であるので、図４（ａ）を参照すると、書字方向が「縦書き」、封筒種類が「洋封筒」、折数が「三つ折り」に対応する内容物の書き出し位置は、「封筒を表から見たときに右下」となる。
【００５２】
そこで、制御手段１７１ｂは、図６（ａ）に示すように、封筒作成ジョブＤに基づいて、印刷装置１を制御して内容物に画像を印刷させる。ここでは、「拝啓」の位置が内容物の書き出し位置となる。そして、制御手段１７１ｂは、封入封緘装置２の封入封緘部２５を制御することにより、図６（ａ）に示した破線の位置で、図６（ｂ），（ｃ）に示すように内容物を三つ折りにする。
【００５３】
次に、制御手段１７１ｂは、封入封緘装置２を制御して、図６（ｄ）に示すように、内容物の書き出し位置が、封筒の表から見たときに三つ折りにされた内容物の最も手前の紙の裏側の右下に位置するように、封入封緘させる。
【００５４】
このように、制御手段１７１ｂは、日本のマナーに沿って内容物の書き出し位置を定めた書き出しルールテーブルに基づいて、封筒の種類、内容物の折数、および内容物の書字方向に対応する内容物の書き出し位置を決定し、この決定した内容物の書き出し位置になる封筒を作成するように、印刷装置１と封入封緘装置２とを制御する。
【００５５】
そのため、日本のマナーに沿った封筒が作成されるので、特にマナーを重んじる日本人にとって違和感を持つことがなく、作成された封筒を、例えば慶事や弔事など厳粛な場などでも使用することができる。
【００５６】
次に、以上のように構成された本発明に係る実施形態の画像形成システム１００の動作について、フローチャートを参照して説明する。
【００５７】
図７は、本発明に係る実施形態の画像形成システム１００が備えるコンピュータ５の動作を示すフローチャートである。
【００５８】
図７に示すように、ユーザ操作に基づいて封筒作成アプリケーションが起動されると（ステップＳ１０１；ＹＥＳ）、ユーザがコンピュータ５の出力部に表示された封筒作成画面を見ながら入力部から操作を行うことにより、封筒種類（和封筒または洋封筒）が選択されると（ステップＳ１０３）、コンピュータ５のＣＰＵは、選択された封筒種類（和封筒または洋封筒）を設定する（ステップＳ１０５）。
【００５９】
そして、ユーザがコンピュータ５の出力部に表示された封筒作成画面を見ながら入力部から操作を行うことにより、宛先が選択されると（ステップＳ１０７）、コンピュータ５のＣＰＵは、選択された宛先を設定する（ステップＳ１０９）。
【００６０】
次に、ユーザがコンピュータ５の出力部に表示された封筒作成画面を見ながら入力部から操作を行うことにより、折数（二つ折り、三つ折り、または四つ折り）が選択されると（ステップＳ１１１）、コンピュータ５のＣＰＵは、選択された折数（二つ折り、三つ折り、または四つ折り）を設定する（ステップＳ１１３）。
【００６１】
次に、コンピュータ５のＣＰＵは、出力部に封筒のレイアウト画面を表示し（ステップＳ１１５）、ユーザがレイアウト画面に表示された封筒のレイアウトを見ながら、入力部から封筒のレイアウトを必要に応じて調整して、レイアウト画面の「設定反映」ボタンが選択されると（ステップＳ１１７；ＹＥＳ）、出力部に内容物と封筒のプレビュー画面を表示する（ステップＳ１１９）。
【００６２】
そして、コンピュータ５のＣＰＵは、ユーザ操作により封筒作成が指示されると（ステップＳ１２１）、ＣＰＵは、入力された設定や画像データなどに基づいて、図３に示した封筒作成ジョブＤを生成し（ステップＳ１２３）、生成した封筒作成ジョブＤをネットワーク４を介して印刷装置１へ送信する（ステップＳ１２５）。
【００６３】
これにより、印刷装置１は、図３に示した封筒作成ジョブＤを受信することができる。
【００６４】
図８は、本発明に係る実施形態の画像形成システム１００が備える印刷装置１および封入封緘装置２の動作を示すフローチャートである。
【００６５】
図８に示すように、ネットワーク４を介してコンピュータ５から送信された封筒作成ジョブＤを受信すると（ステップＳ２０１）、ＣＰＵ１７１は、情報取得手段１７１ａとして機能し、受信した封筒作成ジョブＤのヘッダ部３１から、封筒作成ジョブＩＤ３１ａと、封筒種類や封入可能な内容物の最大通数を含む封筒情報３１ｂと、内容物の用紙サイズ、枚数、折数等を含む内容物情報３１ｃを取得する（ステップＳ２０３）。
【００６６】
次に、情報取得手段１７１ａは、封筒作成ジョブＤに含まれる内容物の画像データ３２ｂを解析して、内容物の書字情報を取得する（ステップＳ２０５）。具体的には、情報取得手段１７１ａは、内容物の画像データ３２ｂを解析することにより、内容物を印刷する際におけるテキスト（文章）の方向、すなわち縦書きまたは横書きを示す内容物の書字方向を取得する。
【００６７】
そして、制御手段１７１ｂは、書き出し位置を決定する（ステップＳ２０７）。具体的には、制御手段１７１ｂは、ハードディスク１７４に記憶された書き出しルールテーブルを参照し、情報取得手段１７１ａにより取得された封筒の種類、内容物の折数、および内容物の書字方向に対応する書き出し位置を決定する。
【００６８】
そして、制御手段１７１ｂは、封筒作成ジョブＤに含まれる内容物の画像データ３２ｂの書き出し文字の位置が、ステップＳ２０７により決定した書き出し位置となるように、印刷装置１を制御して印刷させる（ステップＳ２０９）。例えば、図６に示した例では、内容物の書き出し位置である「拝啓」の位置が「封筒を表から見たときに右下」となるので、印刷装置１は、内容物の画像データ３２ｂに基づいて、「拝啓」の文字が搬送方向下流側となるように印刷する。そして、スイッチバック路１６を通過させることなく、封入封緘装置２へと搬送する。その一方、印刷装置１は、封筒の宛先情報３２ａに基づいて、封筒の宛先面を上側、フラップ部を搬送方向下流側に向けて封筒の宛先面に宛先を印刷し、スイッチバック路１６を通過させることなく、封入封緘装置２へと搬送する。
【００６９】
そして、封入封緘装置２の封入封緘部２５は、各搬送経路２１，２２を搬送された内容物（封入物）を三つ折りに折り畳み、搬送されてきた封筒に封入し、内容物（封入物）が封入された封筒を封緘する（ステップＳ２１１）。これにより、図６（ｄ）に示した例では、内容物の書き出し位置が、封筒の表から見たときに三つ折りにされた内容物の最も手前の紙の裏側の右下に位置された封筒を得ることができる。
【００７０】
以上のように、情報取得手段１７１ａが、封筒の種類、内容物の折数、および内容物の書字方向の情報を取得し、制御手段１７１ｂが、封筒作成ジョブＤに含まれる内容物の画像データの書き出し文字の位置が、情報取得手段１７１ａにより取得された封筒の種類、内容物の折数、および内容物の書字方向に応じた書き出し位置になるように、印刷装置１と封入封緘装置２とを制御する。
【００７１】
そのため、内容物の書字方向を日本のマナーに沿った適切な位置に印刷して封入封緘することができるので、日本のマナーに沿って封入封緘された封筒を作成することができる。これにより、特にマナーを重んじる日本人にとって違和感を持つことがなく、作成された封筒を、例えば慶事や弔事など厳粛な場などでも使用することができる。
【００７２】
なお、本発明に係る実施形態の画像形成システム１００では、情報取得手段１７１ａは、内容物の画像データ３２ｂを解析することにより、内容物を印刷する際におけるテキスト（文章）の方向、すなわち縦書きまたは横書きを示す内容物の書字方向を取得したが、これに限らない。
【００７３】
ユーザがコンピュータ５の入力部から内容物の書字方向を指定することにより、封筒作成ジョブＤの内容物情報３１ｃに、内容物の用紙サイズ、枚数、折数に加え、内容物の書字方向を含むようにしてもよい。
【００７４】
この場合、図８に示したフローチャートにおいて、ステップＳ２０５の処理を削除すると共に、ステップＳ２０３において、ＣＰＵ１７１が、情報取得手段１７１ａとして機能して、受信した封筒作成ジョブＤのヘッダ部３１から、封筒作成ジョブＩＤ３１ａと、封筒種類や封入可能な内容物の最大通数を含む封筒情報３１ｂと、内容物の用紙サイズ、枚数、折数、書字方向を含む内容物情報３１ｃを取得するようにすればよい。
【００７５】
また、本発明に係る実施形態の画像形成システム１００では、印刷された内容物用紙および封筒用紙を印刷装置１の第１排出路１４から封入封緘装置２の搬送経路２１，２２へ搬送したが、これに限らない。例えば、印刷された内容物用紙および封筒用紙を印刷装置１の第２排出路１５に排出する。そして、排出された内容物用紙をユーザが内容物供給部２３にセットし、排出された封筒用紙をユーザが封筒供給部２４にセットすることで、内容物供給部２３から内容物用紙を搬送経路２１へ搬送し、封筒供給部２４から封筒用紙を搬送経路２２へ搬送するようにしてもよい。
【００７６】
また、ハードディスク１７４に記憶された書き出しルールテーブルについて、慶事用および弔辞用の書き出しルールテーブルを設けるようにしてもよい。そして、封筒作成ジョブＤのヘッダ部に慶事用または弔辞用であることを示す情報が含まれている場合に、制御手段１７１ｂは、この慶事用および弔辞用の書き出しルールテーブルに基づいて、情報取得手段１７１ａにより取得された封筒の種類、内容物の折数、および内容物の書字方向に対応する内容物の書き出し位置を決定し、決定した書き出し位置となるように、印刷装置１と封入封緘装置２とを制御する。
【００７７】
さらに、封筒作成ジョブＤのヘッダ部に慶事用であることを示す情報が含まれており、内容物の枚数が１枚である場合、制御手段１７１ｂは、内容物として白紙を追加するようにしてもよい。また、封筒作成ジョブＤのヘッダ部に弔辞用であることを示す情報が含まれており、内容物の枚数が２枚である場合、制御手段１７１ｂは、内容物の画像を縮小して１枚に納めて印刷するようにしてもよい。
【符号の説明】
【００７８】
１  印刷装置
２  封入封緘装置
４  ネットワーク
５  コンピュータ
１７  制御部
２５  封入封緘部
２６  貯留部
１００  画像形成システム
１７１ａ  情報取得手段
１７１ｂ  制御手段
１７２  メモリ
１７３  プログラム記憶部
１７４  ハードディスク
【図１】
2018176631.tif 000003
【図２】
2018176631.tif 000004
【図３】
2018176631.tif 000005
【図４】
2018176631.tif 000006
【図５】
2018176631.tif 000007
【図６】
2018176631.tif 000008
【図７】
2018176631.tif 000009
【図８】
2018176631.tif 000010